【手続補正書】
【提出日】平成26年7月17日(2014.7.17)
【手続補正１】
【補正対象書類名】特許請求の範囲
【補正対象項目名】全文
【補正方法】変更
【補正の内容】
【特許請求の範囲】
【請求項１】
第１の通信プロトコルと第２の通信プロトコルとにそれぞれしたがって動作する第１のサブネットワークと第２のサブネットワークとを有するハイブリッドネットワークであって、前記第１の通信プロトコルと前記第２の通信プロトコルとは異なり、ホームプラグプロトコルと、無線ローカルエリアネットワーク（ＷＬＡＮ）プロトコルとから選択され、前記ハイブリッドネットワークは、第１のデバイスを含み、前記第１のデバイスは、
前記第１の通信プロトコルの第１のネットワークインターフェースと、
第１のプロセッサと、
前記第１のプロセッサに結合され、第１のコンピュータ実行可能な命令を記憶した、第１のメモリと
を備え、前記第１のコンピュータ実行可能な命令は、前記第１のプロセッサによって実行されると、前記第１のデバイスに、
ユーザからマスターパスフレーズを受信することと、
前記マスターパスフレーズを前記第１の通信プロトコルに準拠した第１のパスワードに変換することであって、前記第１の通信プロトコルに応答して、前記マスターパスフレーズの文字を選択的に、切り捨て、追加し、または置換して、前記第１のパスワードを生成することによって変換することと、
前記第１のパスワードを使用して、前記第１のサブネットワークに対し前記第１のデバイスを認証することと、
前記第１のパスワードをハッシュして、前記第１の通信プロトコルに準拠した第１の鍵を導出することと、
前記第１の鍵を使用して、前記第１のデバイスを前記第１のサブネットワークに参加させることと
を行わせる、ハイブリッドネットワーク。
【請求項２】
前記第２の通信プロトコルの第２のネットワークインターフェースと、
第２のプロセッサと、
前記第２のプロセッサに結合され、第２のコンピュータ実行可能な命令を記憶した、第２のメモリと
を備える第２のデバイスをさらに含み、前記第２のコンピュータ実行可能な命令は、前記第２のプロセッサによって実行されると、前記第２のデバイスに、
前記ユーザから前記マスターパスフレーズを受信することと、
前記マスターパスフレーズを前記第２の通信プロトコルに準拠した第２のパスワードに変換することであって、前記第２の通信プロトコルに応答して、前記マスターパスフレーズの文字を選択的に、切り捨て、追加し、または置換して、前記第２のパスワードを生成することによって変換することと、
前記第２のパスワードを使用して、前記第２のサブネットワークに対し前記第２のデバイスを認証することと、
前記第２のパスワードをハッシュして、前記第２の通信プロトコルに準拠した第２の鍵を導出することと、
前記第２のパスワードを使用して、前記第２のデバイスを前記第２のサブネットワークに参加させることと
を行わせる、請求項１に記載のハイブリッドネットワーク。
【請求項３】
前記第１のメモリは、追加のコンピュータ実行可能な命令を記憶し、前記追加のコンピュータ実行可能な命令は、前記第１のプロセッサによって実行されると、前記第１のデバイスに、
前記第１のデバイスから、前記第１または第２の通信プロトコルのネットワークインターフェースを有する第３のデバイスに、前記マスターパスフレーズを送信すること
を行わせる、請求項１に記載のハイブリッドネットワーク。
【請求項４】
第１の通信プロトコルと第２の通信プロトコルとにそれぞれしたがって動作する第１のサブネットワークと第２のサブネットワークとを有するハイブリッドネットワークに複数のデバイスを追加するための方法であって、前記第１の通信プロトコルと前記第２の通信プロトコルとは異なり、ホームプラグプロトコルと、無線ローカルエリアネットワーク（ＷＬＡＮ）プロトコルとから選択され、
第１のデバイスにマスターパスフレーズを入力することと、ここで、前記第１のデバイスは、前記第１の通信プロトコルの第１のネットワークインターフェースを備える、
前記第１のデバイスにおいて第１の変換演算を使用して前記マスターパスフレーズを変換して、前記第１の通信プロトコルに準拠した第１のパスワードを生成することと、ここで、前記第１の変換演算は、前記第１の通信プロトコルに応答して、前記マスターパスフレーズの文字を選択的に、切り捨て、追加し、または置換して、前記第１のパスワードを生成することを含み、
前記第１のパスワードを使用して、前記第１のサブネットワークに対し前記第１のデバイスを認証することと、
前記第１のパスワードをハッシュして、前記第１の通信プロトコルに準拠した第１の鍵を導出することと、
前記第１の鍵を使用して、前記第１のデバイスを前記第１のサブネットワークに参加させることと
を備える方法。
【請求項５】
前記第１のデバイスから第３のデバイスに、暗号化されたメッセージにおいて前記マスターパスフレーズを送信すること
をさらに備える、請求項４に記載の方法。
【請求項６】
第２のデバイスにマスターパスフレーズを入力することと、ここで、前記第２のデバイスは、前記第２の通信プロトコルの第２のネットワークインターフェースを備える、
前記第２のデバイスにおいて第２の変換演算を使用して前記マスターパスフレーズを変換して、前記第２の通信プロトコルに準拠した第２のパスワードを生成することと、ここで、前記第２の変換演算は、前記第２の通信プロトコルに応答して、前記マスターパスフレーズの文字を選択的に、切り捨て、追加し、または置換して、前記第２のパスワードを生成することを含み、
前記第２のパスワードを使用して、前記第２のサブネットワークに対し前記第２のデバイスを認証することと、
前記第２のパスワードをハッシュして、前記第２の通信プロトコルに準拠した第２の鍵を導出することと、
前記第２の鍵を使用して、前記第２のデバイスを前記第２のサブネットワークに参加させることと
をさらに備える、請求項４に記載の方法。
【請求項７】
前記第１のデバイスから、前記第１および第２の通信プロトコルのネットワークインターフェースを有する第３のデバイスに、前記マスターパスフレーズを送信すること
をさらに備え、前記第３のデバイスは、前記第３のデバイスにおいて、前記第２の変換演算を使用して前記マスターパスフレーズを変換し、前記第２のパスワードを生成するためのものである、請求項６に記載の方法。
【請求項８】
前記第３のデバイスは、
前記第２のパスワードをハッシュして、前記第２の鍵を導出し、
前記第２の鍵を使用して、前記第３のデバイスを前記ハイブリッドネットワークに参加させる
ためのものである、請求項７に記載の方法。
【請求項９】
前記ハイブリッドネットワークの既存のメンバーである第３のデバイスにおいて、前記第３のデバイスを前記ハイブリッドネットワークに参加させるために以前に使用された第３のパスワードを選択することと、
前記第３のデバイスにおいて逆変換演算を使用して、前記第３のパスワードから前記マスターパスフレーズを導出することと
をさらに備える、請求項４に記載の方法。
【請求項１０】
前記第１の通信プロトコルのネットワークインターフェースを有する第３のデバイスにおいて、前記変換演算を実行しない第４のデバイスに代わり、前記マスターパスフレーズを導出すること
をさらに備える、請求項４に記載の方法。
【請求項１１】
第１の通信プロトコルと第２の通信プロトコルとにそれぞれしたがって動作する第１のサブネットワークと第２のサブネットワークとを有するハイブリッドネットワークに複数のデバイスを追加するためのシステムであって、前記第１の通信プロトコルと前記第２の通信プロトコルとは異なり、ホームプラグプロトコルと、無線ローカルエリアネットワーク（ＷＬＡＮ）プロトコルとから選択され、
第１のデバイスにマスターパスフレーズを入力する手段と、ここで、前記第１のデバイスは、前記第１の通信プロトコルの第１のネットワークインターフェースを備える、
前記第１のデバイスにおいて第１の変換演算を使用して前記マスターパスフレーズを変換して、前記第１の通信プロトコルに準拠した第１のパスワードを生成する手段と、ここで、前記第１の変換演算は、前記第１の通信プロトコルに応答して、前記マスターパスフレーズの文字を選択的に、切り捨て、追加し、または置換して、前記第１のパスワードを生成するためのものであり、
前記第１のパスワードを使用して、前記第１のサブネットワークに対し前記第１のデバイスを認証する手段と、
前記第１のパスワードをハッシュして、前記第１の通信プロトコルに準拠した第１の鍵を導出する手段と、
前記第１の鍵を使用して、前記第１のデバイスを前記第１のサブネットワークに参加させる手段と
を備えるシステム。
【請求項１２】
前記第１のデバイスから第３のデバイスに、暗号化されたメッセージにおいて前記マスターパスフレーズを送信する手段
をさらに備える、請求項１１に記載のシステム。
【請求項１３】
第２のデバイスにマスターパスフレーズを入力する手段と、ここで、前記第２のデバイスは、前記第２の通信プロトコルの第２のネットワークインターフェースを備える、
前記第２のデバイスにおいて第２の変換演算を使用して前記マスターパスフレーズを変換して、前記第２の通信プロトコルに準拠した第２のパスワードを生成する手段と、ここで、前記第２の変換演算は、前記第２の通信プロトコルに応答して、前記マスターパスフレーズの文字を選択的に、切り捨て、追加し、または置換して、前記第２のパスワードを生成するためのものであり、
前記第２のパスワードを使用して、前記第２のサブネットワークに対し前記第２のデバイスを認証する手段と、
前記第２のパスワードをハッシュして、前記第２の通信プロトコルに準拠した第２の鍵を導出する手段と、
前記第２の鍵を使用して、前記第２のデバイスを前記第２のサブネットワークに参加させる手段と
をさらに備える、請求項１１に記載のシステム。
【請求項１４】
前記第１のデバイスから、前記第１および第２の通信プロトコルのネットワークインターフェースを有する第３のデバイスに、前記マスターパスフレーズを送信する手段
をさらに備え、前記第３のデバイスは、前記第３のデバイスにおいて、前記第２の変換演算を使用して前記マスターパスフレーズを変換し、前記第２のパスワードを生成するためのものである、請求項１３に記載のシステム。
【請求項１５】
前記第３のデバイスは、
前記第２のパスワードをハッシュして、前記第２の鍵を導出し、
前記第２の鍵を使用して、前記第３のデバイスを前記ハイブリッドネットワークに参加させる
ためのものである、請求項１４に記載のシステム。
【請求項１６】
前記ハイブリッドネットワークの既存のメンバーである第３のデバイスにおいて、前記第３のデバイスを前記ハイブリッドネットワークに参加させるために以前に使用された第３のパスワードを選択する手段と、
前記第３のデバイスにおいて逆変換演算を使用して、前記第３のパスワードから前記マスターパスフレーズを導出する手段と
をさらに備える、請求項１１に記載のシステム。
【請求項１７】
前記第１の通信プロトコルのネットワークインターフェースを有する第３のデバイスにおいて、前記変換演算を実行しない第４のデバイスに代わり、前記マスターパスフレーズを導出する手段
をさらに備える、請求項１１に記載のシステム。